(57)【要約】      （修正有）【課題】逃げる犯人に的中する確率の高い防犯用の吹矢の矢を提供する。【解決手段】対象物に当てることで、目印となる材料を付着させる防犯用の吹矢の矢であって、対象物を識別するための目印となる材料である「しるし材料１２」が含まれたマーカー１０と、後端側が開口するように形成され、後端側の外径寸法が先端側の外径寸法より大きく設定された矢本体２０と、矢本体２０の先端側に配置され、矢本体２０の先端側が係合する矢本体係合部３２を後端側に有すると共に、該矢本体係合部３２と一体に設けられてマーカー１０を保持するマーカー保持部３３を先端側に有するホルダ部材３０と、を備えた。【選択図】図１
0003230879.tif 000002
【実用新案登録請求の範囲】
【請求項１】
対象物に当てることで目印となる材料を該対象物に付着させることが可能な防犯用の吹矢の矢であって、
対象物を識別するための目印となる材料である「しるし材料」が含まれたマーカーと、
後端側が開口するように形成され、前記後端側の外径寸法が先端側の外径寸法より大きく設定された矢本体と、
前記矢本体の先端側に配置され、前記矢本体の先端側が係合する矢本体係合部を後端側に有すると共に、該矢本体係合部と一体に設けられて前記マーカーを保持するマーカー保持部を先端側に有するホルダ部材と、
を備えた吹矢の矢。
【請求項２】
請求項１に記載の吹矢の矢において、前記しるし材料は、色材料、蛍光材料及び匂い材料のうち少なくとも１つを含む材料であることを特徴とする吹矢の矢。
【請求項３】
請求項１又は２に記載の吹矢の矢において、
棒状部材を更に備え、
前記棒状部材を取り囲むようにして前記矢本体が前記棒状部材に固定されており、かつ、前記棒状部材により前記矢本体の前記先端側が密封されており、
前記ホルダ部材は、互いに同軸の関係で、且つ、軸方向において隣接している内径の小さい円筒部及び内径の大きい円筒部を有し、
前記内径の小さい円筒部には前記矢本体の先端側が挿入されており、
前記内径の大きい円筒部には前記マーカーが保持されている、
ことを特徴とする吹矢の矢。
【請求項４】
請求項１又は２に記載の吹矢の矢において、前記ホルダ部材は、前記マーカー保持部と一体に設けられた挿し込み部を前記後端側に有し、
前記挿し込み部に、シート材が巻かれた前記矢本体の先端側の開口が挿し込まれている、
ことを特徴とする吹矢の矢。
【請求項５】
請求項１〜４のいずれかに記載に吹矢の矢において、前記マーカーは、内部に前記しるし材料を収容したカプセルであることを特徴とする吹矢の矢。
【請求項６】
請求項５に記載の吹矢の矢において、前記カプセルの先端側に割り溝が形成されていることを特徴とする吹矢の矢。
【請求項７】
請求項１〜４のいずれかに記載の吹矢の矢において、前記マーカーは、内部に前記しるし材料を吸収したスポンジ又は繊維質材であることを特徴とする吹矢の矢。
【請求項８】
請求項１〜４のいずれかに記載の吹矢の矢において、前記マーカーは、前記しるし材料を含有するゼリーであることを特徴とする吹矢の矢。
【請求項９】
請求項１〜８のいずれかに記載の吹矢の矢と、
内径の寸法が前記吹矢の矢の外径と同等に、又は、それよりも大きく設定されている略円筒状の矢筒と、
を少なくとも備えた防犯吹矢セット。
【考案の詳細な説明】
【技術分野】
【０００１】
本考案は、防犯用の吹矢の矢及び当該吹矢の矢を備える防犯吹矢セットに関する。
【背景技術】
【０００２】
防犯用品の一つとしていわゆるカラーボールが知られている。カラーボールは、球形をなし、逃げる犯人や車両に向けて投げつけてボールの中に充填された塗料を犯人や車両に付着させ、犯人追跡の目印とするものである。カラーボールは、金融機関、小売店（いわゆるコンビニエンスストア）等の事業所を中心に設置されている。
【０００３】
しかしながら、カラーボールは例えば３ｍ〜５ｍ離れた犯人に向けて投てきすることとなるが、一般に標的の近傍にまで精度よく投てきすることは難しいとされており、特に女性が投てきする場合には更に困難が高まるとされている。このため、標的への的中確率を高めるためには相応の実地訓練が必要となっている（例えば、非特許文献１参照）。
【先行技術文献】
【非特許文献】
【０００４】
【非特許文献１】島根県警察本部ホームページ、”警察署ニュース カラーボールで強盗を撃退〜犯人の足元に向け、ストライク！〜”、[online]、2020年、[2020年12月2日検索]、インターネット(URL:https://www.pref.shimane.lg.jp/police/kakusho/unnan/sesaku/2.html)
【特許文献】
【０００５】
【特許文献１】実用新案登録第３１２７８０９号公報
【特許文献２】実用新案登録第３１７３８３４号公報
【考案の開示】
【考案が解決しようとする課題】
【０００６】
ただ、カラーボールを用いた投てき訓練を行うと実際にボールの中に充填された塗料が拡散するため、訓練後の後始末（掃除）が大変になるという課題もあることから、実際には然程多くの事業所で実地訓練が行われてはいない。
【０００７】
また、仮に十分な訓練を積んだとしても、カラーボールの場合にはボールを投げるために振り被りの動作が必要であり、ボールが犯人付近に到達するまでの間で必然的に振り被り時間を要してしまう。また、投てきする人にも依るが、ボールの滞空時間も相応にかかるため、投げ始めてボールが犯人付近に到達するまでの間に犯人がボールの軌道から身をかわしてしまうこともある。
【０００８】
ところで、近年、レクリエーションや健康増進等を目的として使用する吹矢が注目されている。これは、矢筒に吹矢の矢を装填し、軽く息を吸ってから矢筒の後端側から瞬間的に息を吐き出して矢を発射させるというものである。吹矢の矢としては、例えば樹脂フィルムなどのシート材を巻いて円錐状に形成して矢本体とし、矢本体の先端側に釘等を埋め込んだものが提案されている。ただ、この場合の吹矢の矢は先端が鋭利であり危険性が高いため、これに代えて昨今では矢本体の先端側に永久磁石を配置したマグネット式の吹矢の矢も提案されており、普及が進んでいる（例えば特許文献１及び特許文献２参照）。
【０００９】
いずれにしても、このような吹矢の矢を用いれば、女性の場合で６０〜８０ｋｍ／ｈ程度、男性の場合で１００ｋｍ／ｈ程度のスビードで矢を飛翔させることができる。つまり、ある程度習熟することで数ｍ程度であれば女性であっても高い的中率とすることができ、かつ、極めて短い滞空時間で矢を飛翔させることができる。
【００１０】
そこで本考案は上記した事情に鑑みてなされたものであり、逃げる犯人に的中する確率の高い防犯用具（防犯用の吹矢の矢）を提供することを目的とする。また、そのような吹矢の矢を備えた防犯吹矢セットを提供することを目的とする。
【課題を解決するための手段】
【００１１】
本考案の一態様によれば、対象物に当てることで目印となる材料を該対象物に付着させることが可能な防犯用の吹矢の矢が提供される。この吹矢の矢においては、対象物を識別するための目印となる材料である「しるし材料」が含まれたマーカーと、後端側が開口するように形成され、後端側の外径寸法が先端側の外径寸法より大きく設定された矢本体と、矢本体の先端側に配置され、矢本体の先端側が係合する矢本体係合部を後端側に有すると共に、矢本体係合部と一体に設けられてマーカーを保持するマーカー保持部を先端側に有するホルダ部材と、を備えている。
【００１２】
また、本考案の別の一態様によれば、上記したような吹矢の矢と、内径の寸法が前記吹矢の矢の外径と同等に、又は、それよりも大きく設定されている略円筒状の矢筒と、を少なくとも備えた防犯吹矢セットが提供される。
【考案の効果】
【００１３】
本考案によれば、逃げる犯人に対し的中する確率の高い防犯用具である防犯用の吹矢の矢を提供することができる。また、このような吹矢の矢を備えた防犯吹矢セットを提供することができる。
【図面の簡単な説明】
【００１４】
【図１】実施形態１に係る吹矢の矢１を説明するために示す図である。
【図２】実施形態１に係る防犯吹矢セット３００を示す模式図である。
【図３】実施形態１に係る吹矢の矢１及び防犯吹矢セット３００の使用例を示す模式図である。
【図４】実施形態２に係る吹矢の矢２を説明するために示す要部断面図である。
【図５】実施形態３に係る吹矢の矢３を説明するために示す要部断面図である。
【図６】実施形態４に係る吹矢の矢４を説明するために示す要部断面図である。
【図７】変形例に係る吹矢の矢を示す図である。
【図８】変形例５に係る吹矢の矢を説明するために示す要部断面図である。
【図９】変形例６に係る吹矢の矢５を説明するために示す要部断面図である。
【図１０】変形例に係る示す防犯吹矢セット３００’を示す模式図である。
【考案を実施するための形態】
【００１５】
以下、本考案に係る吹矢の矢及び防犯吹矢セットの実施形態について図面を参照して説明する。各図面は一例を示した模式図であり、必ずしも実際の寸法、比率等を厳密に反映したものではない。
【００１６】
［実施形態１］
１．実施形態１に係る吹矢の矢１の構成
図１は、実施形態１に係る吹矢の矢１を説明するために示す図である。図１（ａ）は吹矢の矢１の斜視図であり、図１（ｂ）は図１における中心軸ＡＸを含む仮想平面で吹矢の矢１を切断したときの要部断面図であり、図１（ｃ）は図１における矢印Ａに沿って吹矢の矢１を見たときの正面図である（矢本体２０の表示は省略している）。
【００１７】
（１）基本構成
実施形態１に係る吹矢の矢１は、対象物ＯＢ（符号は図３参照）に当てることで目印となる材料を該対象物ＯＢに付着させることが可能な防犯用の吹矢の矢となっている。「対象物ＯＢ」としては、犯人ＣＲ（符号は図３参照）そのもの（ヒト）や犯人ＣＲの付属物（例えば衣服，鞄，靴，車両等）を想定しているが、これらに限られるものではない。
図１（ａ）に示すように、吹矢の矢１は大きく分けてマーカー１０、ホルダ部材３０、矢本体２０を備えている。
【００１８】
（２）マーカー１０
マーカー１０は、吹矢の矢１全体でみると先端部分に配置され、対象物ＯＢを識別するための目印となる材料である「しるし材料１２」が含まれている部分である。マーカー１０は、ホルダ部材３０を構成しているマーカー保持部３３（詳細は後述）に保持されている。
【００１９】
「しるし材料１２」は、対象物ＯＢに付着しているか付着していないかを識別することができるものであれば如何なるものであってもよい。例えば、（ア）付着することで対象物ＯＢが特定の色に着色するようなもので、特定の色が付いているか否かで識別可能な「色材料」であってもよい。色としては外部からみて比較的目立つ色である赤色、オレンジ色、黄色等を選択することが好ましい。（イ）また、対象物ＯＢに光を当てたとき付着した付近から蛍光を発するか否で識別が可能な「蛍光材料」であってもよい。（ウ）さらに、対象物ＯＢから特定の匂いがするか否かで識別が可能な「匂い材料」であってもよい。匂い材料の判別にあっては例えば警察犬に特定の匂いを嗅がせた上で犯人ＣＲ又は犯人ＣＲの付属物を判別させてもよい。
【００２０】
実施形態１において、しるし材料１２は、色材料、蛍光材料及び匂い材料のうち少なくとも１つを含む材料であることが好ましい。すなわち、上記（ア），（イ），（ウ）の各材料のうち１つを選択して「しるし材料１２」としてマーカー１０に入れてもよいし、これらの材料を複数組み合わせた上で「しるし材料１２」としてマーカー１０に入れてもよい。
また、しるし材料１２は如何なる態様であってもよい。例えば、絵具、液体の墨、顔料系のインク等の懸濁液や染料系インク、液体塗料等の流動性を有する液体状のものであってもよい。これらの溶質・溶媒が油性であるか水性であるかも問わない。また、しるし材料１２は例えばゼリー状のもの（流動性を失ったもの）であってもよい。さらに、粉末状のものであってもよい。
【００２１】
図１（ｂ）に示すように、実施形態１においてマーカー１０は内部にしるし材料１２を収容したカプセル１１０（しるし材料収容部材１００）で構成されている。カプセル１１０の内部には、液体状のしるし材料１２が収容可能容積に対し凡そ８０％程度の体積で満たされている。このような比率で液体状のしるし材料１２が満たされていると、吹矢の矢１が対象物ＯＢに当たって衝撃を受けた際にしるし材料１２がカプセル１１０内で移動し易くなり、カプセル１１０が破裂したときに、液体が移動した勢いも手伝って、しるし材料１２をより広い範囲に拡がらせながら対象物ＯＢに付着させることができる。ここではカプセル１１０に収容するしるし材料１２としては液体状のものを想定して説明したが、ゼリー状のもの、粉末状のもの等においても同様に適用できる
なお、カプセル１１０（しるし材料収容部材１００）の詳細については後述する。
【００２２】
（３）矢本体２０ほか
矢本体２０は、略長尺状をなして後端側が開口するように形成されており、後端側の外径寸法Ｄ１《図１（ａ）参照》が先端側の外径寸法Ｄ２《図１（ｂ）参照》より大きくなるように設定されている。例えば樹脂フィルムなどのシート材を巻いて円錐状としたものを矢本体２０として構成してもよい。
【００２３】
実施形態１の吹矢の矢１においては、棒状部材４０を更に備えている。この棒状部材４０は、先端側にフランジ状の頭部４１を有しており、頭部４１の後端面に棒状部材４０の外周に沿って連続する段差（図示を省略）を有している。当該段差から後端側にかけては外径が略一定の円柱状になっている。例えば釘に類似した部材を棒状部材４０として用いることができる。
このとき、矢本体２０は棒状部材４０を取り囲むようにして棒状部材４０に固定されている。矢本体２０の先端側は棒状部材４０により密封され、矢本体２０の後端側は開口している（符号２０ａ参照）。矢本体２０の棒状部材４０に対する固定は、矢本体２０の先端側を棒状部材４０に巻くとともに、矢本体２０の先端縁を棒状部材４０の頭部４１の段面に当接させた状態で摩擦力のみで固定してもよいし、矢本体２０の先端側の棒状部材４０に巻かれた部分および頭部４１の段面に当接されている先端縁やその近傍を棒状部材４０に接着して固定してもよい。
【００２４】
（４）ホルダ部材３０
ホルダ部材３０は、矢本体２０の先端側に配置されて、矢本体２０を保持（ホルド）しつつマーカー１０も保持（ホルド）する部材である。ホルダ部材３０は、矢本体２０の先端側が係合する矢本体係合部３２を後端側に有すると共に、矢本体係合部３２と一体に設けられてマーカー１０を保持するマーカー保持部３３を先端側に有している。
矢本体係合部３２は、矢本体２０の先端側が係合する部分で、矢本体２０を固定し保持する。マーカー保持部３３は、マーカー１０を保持して、吹矢の矢１が飛翔中にマーカー１０が脱落したり破裂しないようにする。
ここでは、マーカー保持部３３が矢本体係合部３２と「一体に設けられた」と言っているが、マーカー保持部３３が矢本体係合部３２と連続的に形成（連成）される場合の他、別々に形成された部材を連結したような場合もここでの「一体に設けられた」の中に含まれるものとする。
【００２５】
実施形態１のホルダ部材３０は、内径の小さい円筒部３６（小径の円筒部３６）と内径の大きい円筒部３７（大径の円筒部３７）とを有した筒状の部材で構成されている。これら小径の円筒部３６及び大径の円筒部３７は互いに同軸の関係となっており、且つ、軸方向において互いに隣接している。また、これら小径の円筒部３６及び大径の円筒部３７は弾性材料からなり連続的に形成されている。
大径の円筒部３７には底（凹部の底）を有しており、当該底には穴が空けられており、当該穴を介して大径の円筒部３７の内側の空間と小径の円筒部３６の内側の空間とが連通している。当該穴からは棒状部材４０の頭部４１が顔を覗かせており、大径の円筒部３７の底面と棒状部材４０の頭部４１とが同一平面上に配置されている。
【００２６】
小径の円筒部３６の内側の空間には矢本体２０の先端側が挿入されており、矢本体２０と係合している。つまり小径の円筒部３６は矢本体係合部３２を構成している。
大径の円筒部３６の内径Φ１は、マーカー１０の外径（図示を省略）よりも僅かに小さく設定されており、弾性材料からなる大径の円筒部３７の内壁３７ａがマーカー１０を挟み込むようにしてマーカー１０を保持している。つまり大径の円筒部３７はマーカー保持部３３を構成している。なお、マーカー１０と大径の円筒部３７の内壁３７ａとの間に接着剤を介挿して固定及び保持をより強固なものとしてもよい。
上記ではマーカー保持部３３たる大径の円筒部３７として弾性材料を用いた例を説明したが、これに限定されるものではなく、比較的硬い材料のものをマーカー保持部３３として導入してもよい。このとき、マーカー保持部３３へのマーカー１０の固定は接着剤で行うものとする。
【００２７】
（５）カプセル１１０（しるし材料収容部材１００）
まず、マーカー１０全体としての基本的な要求仕様について説明する。マーカー１０は、吹矢の矢１が対象物ＯＢに当たるまでの間は（吹矢の矢の保管時・矢筒への装填時・発射時・飛翔中など）、マーカー保持部３３により確実に保持されつつ、マーカー１０自体も内部のしるし材料１２が漏れ出ないようにその形状・状態も保たれるように構成されていることが肝要である。一方で、吹矢の矢１が対象物ＯＢに当たったならば、その衝撃により何等かの形で内部のしるし材料１２が外部へと出て対象物ＯＢに付着するように構成されていることが肝要である。
【００２８】
上記した要求を満たすため、実施形態１のカプセル１１０は、通常は形状を保ちながらも一旦衝撃を受けると破裂しやすい材質・構造であることが望ましい。例えば、カプセル１１０を厚み０．０１ｍｍ〜０．０２ｍｍ程度のアクリル系プラスチックで構成してもよい。また、カプセル１１０を厚み０．０１ｍｍ〜０．０９ｍｍ程度のガラス材料で構成してもよい。
【００２９】
また、上記した要求を考慮して、マーカー１０はマーカー保持部３３の先端側において外部に露出している。すなわち、マーカー１０の一部は大径の円筒部３７の内壁３７ａに嵌め込まれる形でマーカー保持部３３に保持されているものの、マーカー１０の他の部分は大径の円筒部３７の先端（マーカー保持部３３の先端）から更に先端側に突出した構造になっている。このような構造とすることで、吹矢の矢１が対象物ＯＢに当たるとマーカー１０のうち外部に露出している部分から対象物ＯＢに押し付けられるようにして衝突することとなり、マーカー１０が破裂し易いものとなり、しるし材料１２を確実に広範囲に付着させることができる。
【００３０】
参考までに、実施例では大径の円筒部３７（マーカー保持部３３）については、内径Φ１を８ｍｍとし、底の深さＤ３を凡そ１０ｍｍとしている。一方、マーカー１０については、中心軸ＡＸを中心とした外径は８ｍｍよりも若干大きい寸法とし、長手方向の長さＬ１は例えば２０ｍｍ以上としている。換言すると、マーカー保持部３３がマーカー１０を保持する寸法Ｄ３は凡そ１０ｍｍとなり、マーカー保持部３３の先端からマーカー１０が突出する寸法Ｄ４は例えば１０ｍｍ以上となる。この突出する寸法Ｄ４は、しるし材料１２の所望する収容量に応じて適宜に変更することができる《図１（ｂ）参照》。
【００３１】
さらに、上記した要求を考慮して、図１（ｃ）に示すように、カプセル１１０の先端側には割り溝１１７が形成されている。ここで「割り溝」とは、厚さが周囲の厚みよりも小さくなっている溝状の部分をいうものとする。また意図的に形成したクラックも「割り溝」に含まれるものとする。
割り溝１１７を形成することにより、吹矢の矢１が対象物ＯＢに当たった際の衝撃で溝に沿ってカプセル１１０に亀裂が拡がり易くなるため、しるし材料１２が漏れ拡がり易いカプセル１１０（マーカー１０）を得ることができる。
実施形態１においては、図１（ｃ）のように、カプセル１１０の先端から後端側に向けて所定の長さでスター型に割り溝１１７が形成されている。
【００３２】
なお、カプセル１１０は、図１の例においては一体で形成したものを示したが、これに限定されるものではない。図示は省略するが、カプセル錠剤の如く２つのドーム型の部材（ドーム部材）を長手方向に組み合わせることによりカプセル１１０を構成してもよい。この場合、マーカー保持部３３と当接する側のドーム部材は比較的硬い頑丈な部材としつつ、先端側の外部に露出する側のドーム部材は衝撃によって破裂し易い部材とするなど、部材の材質を互いに異ならせてもよい。
【００３３】
２．実施形態１に係る防犯吹矢セット３００の構成
図２は、実施形態１に係る防犯吹矢セット３００を示す模式図である。
図２に示すように、防犯吹矢セット３００は、上記した構成を有する吹矢の矢１と略円筒状の矢筒２００とを少なくとも備えている。参考までに、矢筒２００の内径の寸法は、吹矢の矢１の外径と同等となっているか、又は、吹矢の矢１の外径よりも若干大きくなるように設定されている。
防犯吹矢セット３００は、犯人ＣＲに悟られないように、金融機関、小売店等の事業所の受付カンターやレジの下に保管しておいてもよい。逆に、抑止力発揮を狙って、来客者からよく見える位置に保管しておいてもよい。なお、ここでは一例として同等の構造を持つ吹矢の矢１を３本１セットとして配備している。このように複数本の矢を配備しておけば、一の矢で犯人ＣＲへの的中に失敗したとしても二の矢・三の矢を続けざまに放つことができる。
【００３４】
３．実施形態１に係る吹矢の矢１及び防犯吹矢セット３００の使用例
図３は、実施形態１に係る吹矢の矢１及び防犯吹矢セット３００の使用例を示す模式図である。
吹矢の矢１の発射方法は、基本的にはレクリエーションや健康増進等を目的として使用される吹矢の矢の発射方法と同様である。まず、使用者ＵＳは、吹矢の矢１を、矢筒２００の後端側の内部空間に対し矢の先端側から装填する。次いで、使用者ＵＳは、軽く息（空気）を吸ってから、対象物ＯＢへの狙いを定め、矢筒２００の後端側から瞬間的に息を吐き出す。これにより、吹矢の矢１が対象物ＯＢに向けて発射されて飛翔する。首尾よく吹矢の矢１が対象物ＯＢに当たると、マーカー１０に含まれていたしるし材料１２が対象物ＯＢに付着し、犯人ＣＲを追跡するための目印ＭＫとなる（図３参照）。
【００３５】
４．実施形態１に係る吹矢の矢１及び防犯吹矢セット３００の効果
実施形態１に係る吹矢の矢１は、対象物ＯＢを識別するための目印ＭＫとなる材料である「しるし材料１２」が含まれたマーカー１０を、矢本体２０の先端側に配置されたマーカー保持部３３で保持した状態で飛翔させることができるようになっている。このため、吹矢の矢１が対象物ＯＢに当たると、矢の先端側ではマーカー１０が衝撃を受け、例えばカプセル１１０（しるし材料収容部材１００）が破裂するなどして、マーカー１０に含まれていたしるし材料１２が外部に漏れ拡がり、対象物ＯＢたる犯人そのもの（ヒト）や犯人の付属物にしるし材料１２を付着させることができる。
【００３６】
ところで、吹矢の場合には発射前の動作はブローのために軽く息を吸うだけであり、カラーボールのような振り被りの動作も不要で、反動をつけるための動作は極めて短時間である。また、一旦、吹矢の矢１が放たれると上述したように女性でも６０〜８０ｋｍ／ｈ、男性では１００ｋｍ／ｈくらいのスビードが出るため滞空時間も極めて短く、犯人が完全に逃げる前に的中を完成させ易い。
【００３７】
また、上述したようにカラーボールでは実地訓練後の後始末の問題があったが、実施形態１に係る吹矢の矢１及び防犯吹矢セット３００であれば、実際のしるし材料１２（例えば着色材料）付きで訓練したとしても後始末の問題は比較的小さい。また、日頃は実施形態１に係る吹矢の矢１に代えてレクリエーション用のマグネット式の吹矢の矢を用いて疑似的に練習を重ねることもできる。このように、実施形態１の吹矢の矢１を用いれば、カラーボールの場合に比べて練習や実地訓練を行う機会を飛躍的に増やすことができ、事業所全体としての的中率を高めることができる。
【００３８】
以上のことから、実施形態１によれば、従来の防犯用品であるカラーボールに比べて、逃げる犯人に的中する確率の高い防犯用具たる防犯用の吹矢の矢１及び防犯吹矢セット３００を提供することができる。
【００３９】
［実施形態２］
図４は、実施形態２に係る吹矢の矢２を説明するために示す要部断面図である。図４は図１（ｂ）に対応した図である（以下の図５，図６，図８，図９についても同様）。基本的な構成及び特徴が実施形態１と同じ構成要素については、実施形態１における符号を援用しここでの説明は省略する（以下の実施形態２，３，４，変形例についても同様）。
【００４０】
実施形態２に係る吹矢の矢２は、基本的には実施形態１に係る吹矢の矢１と同様の構成を有するが、マーカー１０ａの先端部の構成において実施形態１に係る吹矢の矢１とは異なる。すなわち吹矢の矢２のマーカー１０ａは、カプセル１１０の先端にカプセル１１０よりも硬度の高いチップ材１１９が貼り付けられている（図４参照）。このような構成は、吹矢の矢２が対象物ＯＢに当たったときに、チップ材１１９がカプセル１１０を圧迫することとなるため、カプセル１１０を破裂させやすいものとなっている。
【００４１】
［実施形態３］
図５は、実施形態３に係る吹矢の矢３を説明するために示す要部断面図である。
実施形態３に係る吹矢の矢３は、基本的には実施形態１に係る吹矢の矢１と同様の構成を有するが、マーカーの構成において実施形態１に係る吹矢の矢１とは異なる。すなわち吹矢の矢３のマーカー１０ｂは、内部にしるし材料１２を吸収したスポンジ又は繊維質材１２０で構成されている（図５参照）。
スポンジ又は繊維質材１２０とは、主に液体を吸収しうる海綿状の材料、布等の繊維質材などをいうものとする。吹矢の矢３が対象物ＯＢに当たるとマーカー１０ｂは圧縮され、スポンジ又は繊維質材１２０に含まれているしるし材料１２が外部に出されて対象物ＯＢに転写されることとなる。一般的なスポンジや布等の他に、例えば植物性由来材料を焼く・乾燥させる等によって形成したものも、ここでいうスポンジ又は繊維質材１２０の一態様として適用できる。
【００４２】
［実施形態４］
図６は、実施形態４に係る吹矢の矢４を説明するために示す要部断面図である。
実施形態４に係る吹矢の矢４は、基本的には実施形態１に係る吹矢の矢１と同様の構成を有するが、マーカーの構成において実施形態１に係る吹矢の矢１とは異なる。すなわち吹矢の矢４のマーカー１０ｃは、しるし材料１２を含有するゼリー１６で構成されている（図６参照）。吹矢の矢４が対象物ＯＢに当たるとマーカー１０ｃは圧縮されて破損し、バラバラになって対象物ＯＢに付着することとなる。
【００４３】
なお、図のようにゼリー１６をオブラート等の保護膜１７で覆ってもよい。保護膜１７で覆うことによりゼリー１６の乾燥を防ぎ、空気に直接触れることによるゼリー１６・しるし材料１２の機能劣化を防ぐことができる。
【００４４】
［変形例］
以上、本考案を上記の実施形態に基づいて説明したが、本考案は上記の実施形態に限定されるものではない。その趣旨を逸脱しない範囲において種々の態様において実施することが可能であり、例えば以下のような変形も可能である。
【００４５】
（１）実施形態１ではカプセル１１０の先端から後端側に向けてスター型に割り溝１１７が形成されていたが、本考案はこれに限定されるものではない。例えば、図７（ａ）に示すように、割り溝を設けていないカプセル１１１を導入してもよい（変形例１）。また、図７（ｂ）に示すように、カプセル１１２の先端からやや後端側の位置に中心軸ＡＸを中心とした周方向に割り溝１１６を形成してもよい（変形例２）。また、図７（ｃ）に示すように、中心軸ＡＸを含む同一仮想平面に沿って、カプセル１１３の先端から後端側に向けて１つの連続的な割り溝１１７を形成してもよい（変形例３）。さらに、図７（ｄ）に示すように、カプセル１１４の先端側を中心に不規則又は規則的なクラック１１８（割り溝としてのクラック）を設けてもよい（変形例４）。
【００４６】
なお、図７は、変形例に係る吹矢の矢を示す図である。図７（ａ）は変形例１の吹矢の矢の要部を示す図である。図７（ａ）の右の図は要部右側面図、左の図は矢印Ｂに沿ってみたときの正面図（矢本体２０の表示は省略している）である（以下の図７（ｂ）及び図７（ｃ）においても同様）。図７（ｂ）は変形例２の吹矢の矢の要部を示す図である。
図７（ｃ）は変形例３の吹矢の矢の要部を示す図である。図７（ｄ）は変形例４のカプセル１１４の要部を示す要部断面図である。
【００４７】
（２）実施形態２では、カプセル１１０の先端に同一厚さのチップ材１１９を貼り付けた構成であったが、本考案はこれに限定されるものではない。例えば、図８に示すように、カプセル１１５の内側に向けて先鋭化された形状を有するくさび型のチップ材１１９’を配置してもよい（変形例５）。
なお、図８は変形例５に係る吹矢の矢を説明するために示す要部断面図である。
【００４８】
（３）実施形態１〜４及び変形例１〜５においては、棒状部材４０にシート状の矢本体２０を巻き付けた態様を一例に説明をしたが、本考案はこれに限定されるものではない。例えば、図９に示すように、ホルダ部材３０’として、マーカー保持部３３と一体に設けられた矢本体係合部３２としての挿し込み部３８を後端側に有するものを採用し、この挿し込み部３８にシート材が巻かれた矢本体２０の先端側の開口２０ａを挿し込むように構成してもよい（変形例６）。
なお、図９は変形例６に係る吹矢の矢５を説明するために示す要部断面図である。
【００４９】
（４）実施形態１〜４及び変形例１〜６においては、防犯吹矢セット３００の構成要素の１つとして人間の息でブローする矢筒２００を想定して説明をしたが、本考案はこれに限定されるものではない。例えば、図１０に示すように、吹矢の矢１と、矢筒２００’及びカメラ２５０を有するセット本体２３０と、セット本体２３０の全体の姿勢を変える首振り機構２４０と、を備えた自動化された防犯吹矢セット３００’であってもよい。
なお、図１０は変形例に係る示す防犯吹矢セット３００’を示す模式図である
【符号の説明】
【００５０】
１，２，３，４，５…矢、１０，１０ａ，１０ｂ，１０ｃ…マーカー、１２…しるし材料、１６…ゼリー、１７…保護膜、２０…矢本体、２０ａ…（矢本体の）開口、３０，３０'…ホルダ部材、３２…矢本体係合部、３３…マーカー保持部、３６…内径の小さい円筒部（小径の円筒部）、３７…内径の小さい円筒部（大径の円筒部）、３７ａ…内壁、３８…挿し込み部、４０…棒状部材、４１…（棒状部材の）頭部、１００…しるし材料収容部材、１１０，１１１，１１２，１１３，１１４，、１１５…カプセル、１１６，１１７…割り溝、１１８…クラック、１１９，１１９’…チップ材、１２０…スポンジ又は繊維質材、２００，２００’…矢筒、２３０…セット本体、２４０…首振り機構、２５０…カメラ、３００，３００’…防犯吹矢セット、ＣＲ…犯人、ＭＫ…目印、ＯＢ…対象物、ＵＳ…使用者
【図１】
0003230879.tif 000003
【図２】
0003230879.tif 000004
【図３】
0003230879.tif 000005
【図４】
0003230879.tif 000006
【図５】
0003230879.tif 000007
【図６】
0003230879.tif 000008
【図７】
0003230879.tif 000009
【図８】
0003230879.tif 000010
【図９】
0003230879.tif 000011
【図１０】
0003230879.tif 000012